(57)【要約】【課題】  成型駒の植菌作業を、効率よく精確に行うことができる成型駒の植菌装置を提供すること。【解決手段】  茸栽培用原木４０に孔開けを行うドリル３０と、孔開け時に原木４０方向へドリル３０を押圧するドリル保持装置３２と、ドリル３０の退避とともにドリル３０により原木４０に空けたドリル孔４２に、成型駒１２を供給する成型駒供給装置５０と、成型駒１２をドリル孔４２に入れた後、ドリル孔４２内へ成型駒１２を押し込む打ち込み装置６０とを備える。成型駒供給装置５０は、搬送チューブ５２と、整列された成型駒１２を空気圧で搬送チューブ５２内を走らせる加圧供給装置５６とを有する。打ち込み装置６０は、ドリル孔４２内へ成型駒１２を打ち込む打ち込み部材６２と、打ち込み部材６２を成型駒１２の供給後に動作させるエアシリンダ６４とを備える。【選択図】      図１
2005160363.tif 000002
【特許請求の範囲】
【請求項１】
茸栽培用原木に孔開けを行うドリルと、このドリルを退避方向に付勢すると共に孔開け時に原木方向へドリルを押圧するドリル保持装置と、上記ドリルの退避とともに上記ドリルにより上記原木に空けたドリル孔に、椎茸菌を含有した成型駒を供給する成型駒供給装置と、上記成型駒を上記ドリル孔に入れた後、上記ドリル孔内へ成型駒を押し込む打ち込み装置とから成る成型駒の植菌装置。
【請求項２】
上記成型駒供給装置は、成型駒を整列させて収容する成型駒収容部と、整列された上記成型駒と上記ドリルにより孔開けされる上記原木との間を結ぶ搬送チューブと、この搬送チューブの基端側に設けられ、上記整列された成型駒を空気圧で上記搬送チューブ内を走らせる加圧供給装置とから成ることを特徴とする請求項1記載の成型駒の植菌装置。
【請求項３】
上記打ち込み装置は、上記成型駒を上記成型駒供給装置により上記ドリル孔に入れた後上記ドリル孔内へ成型駒を打ち込む打ち込み部材と、この打ち込み部材を上記成型駒の供給後に動作させる駆動装置とから成ることを特徴とする請求項２記載の成型駒の植菌装置。
【請求項４】
上記成型駒供給装置及び打ち込み装置の動作は、上記ドリルの降下及び上昇に連動して動作することを特徴とする請求項1記載の成型駒の植菌装置。
【発明の詳細な説明】
【技術分野】
【０００１】
この発明は、茸の栽培において、茸菌が植菌されて原木に打ち込まれる成型駒の植菌装置に関する。
【背景技術】
【０００２】
従来、例えば椎茸を原木に植える方法として、植菌された大鋸屑等を成型して成型駒を作り、この成型駒を原木に設けた穿孔穴に打ち込む方法がある。このような成型駒を作る方法として、小孔を有する合成樹脂シートや不織布シートに多数の凹部をプレス加工により形成し、この凹部に、植菌した菌類支持体を充填するものがある。原木への植菌は、凹部をシートから取り出してこれを駒とし、原木の穴に成型駒を打ち込むものである。
【特許文献１】特開平２−２５５０１８号公報
【特許文献２】特開平８−７６号公報
【発明の開示】
【発明が解決しようとする課題】
【０００３】
しかし、成型駒の植菌作業は、原木にドリルで孔開けした後、合成樹脂シートの孔に入れられた成型駒を取り出して、成型駒を孔に埋め込み、封をするという面倒な作業が必要である。特に、ドリルの操作や成型駒の埋め込みは、体力や技術を要するものであり、大量の椎茸原木にこれら一連の作業を行うということは、多大な両力とコストを要するものであった。
【０００４】
この発明は、上記従来の技術に鑑みてなされたものであり、成型駒の植菌作業を効率よく、精確に行うことができる成型駒の植菌装置を提供することを目的とする。
【課題を解決するための手段】
【０００５】
本発明は、茸栽培用原木に孔開けを行うドリルと、このドリルを退避方向に付勢すると共に孔開け時に原木方向へドリルを押圧するドリル保持装置と、上記ドリルの退避とともに上記ドリルにより上記原木に空けたドリル孔に、椎茸菌を含有した成型駒を供給する成型駒供給装置と、上記成型駒を上記ドリル孔に入れた後、上記ドリル孔内へ成型駒を押し込む打ち込み装置とから成る成型駒の植菌装置である。上記成型駒供給装置は、成型駒を整列させて収容する成型駒収容部と、整列された上記成型駒と上記ドリルにより孔開けされる上記原木との間を結ぶ搬送チューブと、この搬送チューブの基端側に設けられ、上記整列された成型駒を空気圧で上記搬送チューブ内を走らせる加圧供給装置とから成るものである。
【０００６】
さらに、上記打ち込み装置は、上記成型駒を上記成型駒供給装置により上記ドリル孔に入れた後、上記ドリル孔内へ成型駒を打ち込む打ち込み部材と、この打ち込み部材を上記成型駒の供給後に動作させる駆動装置とから成る。
【０００７】
上記成型駒供給装置及び打ち込み装置の動作は、上記ドリルの降下及び上昇に連動して動作する。
【発明の効果】
【０００８】
本発明は、椎茸原木に成型駒を植菌する作業を、ドリルによる孔開けから植菌及び封止までを、自動的に行うもので、植菌作業を効率化し、労力を軽減することができる。
【発明を実施するための最良の形態】
【０００９】
以下、この発明の実施形態について図面について説明する。図１〜図４は、この発明の一実施形態を示すものであり、この実施形態の成型駒の植菌装置１０は、図４に示すような円筒形の成型駒１２を用いる。この成型駒１２は、円錐台状に形成され、先端部が丸く形成された菌類支持体１３から成る。菌類支持体１３は、大鋸屑に茸菌を混ぜて固めたものであり、茸菌としては、椎茸等である。菌類支持体１３の、端部１３ａと反対側の端部１３ｂには、円板状の閉鎖部材１４が取り付けられている。閉鎖部材１４は、発泡スチロールの板等で作られ、閉鎖部材１４の、菌類支持体１３側の端面には、図示しない複数個の穴が形成されている。この穴の内側には、菌類支持体１３の菌糸が入り込んだ状態で固まり、これにより閉鎖部材１４は菌類支持体１３に連結されている。
【００１０】
成型駒１２は、図３に示すように、合成樹脂製の平坦なシートを成型して、有底筒状の凹部２０を多数備えた収納材２２に収納される。凹部２０は、先端部に近付くほど径が小さく形成され、先端部は外側に膨らむ半円形に形成されている。この収納材２２の凹部２０に、椎茸菌を種菌した大鋸屑を充填し押圧する。さらに、閉鎖部材１４を凹部２０の空間に嵌めこみ、適当な力で押し付ける。この後、収納材２２の凹部２０の開口部側の面に、成型駒１２を覆う保護フィルム２４を被せる。そして、適温適湿下で、所定期間培養する。また、大鋸屑に椎茸菌を混ぜて所定期間培養したものを収納材２２の凹部２０に充填しても良い。
【００１１】
成型駒１２を椎茸栽培用の原木４０に、自動的に打ち込む植菌装置１０は、図１、図２に示すように、植菌装置１０のフレーム１６に対して上下動自在に取り付けられ、椎茸栽培用原木４０に孔開けを行うドリル３０と、このドリル３０を退避方向に付勢すると共に孔開け時に原木方向へドリルを押圧するドリル保持装置３２を備える。ドリル保持装置３２は、ドリル３０を上方に引き上げるように付勢したコイルバネ３４と、ドリル３０をコイルバネ３２の付勢力に抗してドリル３０を原木方向へ押し下げる孔開け用エアシリンダ３６と、孔開け用エアシリンダ３６の本体部分をフレーム１６の上枠に対して原木４０方向に押して、位置を安定させる位置固定エアシリンダ３７を備える。孔開け用エアシリンダ３６及び位置固定用エアシリンダ３７は、図示しないセンサにより、ドリル３０が所定位置以下に下がった場合に作動する。
【００１２】
ドリル３０は、モータを内蔵した本体３８と、原木４０に孔開けするドリル刃３１とを備える。本体３８には、水平方向に突出した持ち手３５と、操作する人の手を保護する保護板４４が取り付けられている。
【００１３】
本体３８には、ドリル３０により原木４０に空けた孔に椎茸菌を含有した成型駒１２を供給するための、成型駒供給装置５０の搬送チューブ５２の先端が接続されている。成型駒供給装置５０は、成型駒１２を整列させて収容する成型駒収容部５４と、整列された成型駒１２とドリル３０により孔開けされる原木４０との間を結ぶ搬送チューブ５２と、搬送チューブ５２の基端側に設けられ、整列された成型駒１２を空気圧で搬送チューブ５２内を走らせる加圧供給装置５６とから成る。また、図示しないエア供給スイッチにより、搬送チューブ５２内に成型駒１２が詰まった場合に、圧縮空気のみを搬送チューブ５２内に供給可能に設けられている。
【００１４】
本体３８には、原木４０のドリル孔４２に入れられる成型駒１２を、その孔内へ確実に押し込む打ち込み装置６０が取り付けられている。打ち込み装置６０は、成型駒１２をドリル孔４６内へ打ち込む打ち込み部材６２と、打ち込み部材６２を成型駒１２の供給後に動作させる駆動装置であるエアシリンダ６４とから成る。打ち込み部材６２は、エアシリンダ６４により、図示しない連動部材を介して、打ち込み位置と退避位置との間で揺動運動する。
【００１５】
本体３８のドリル刃３１の側方には、ドリル刃３１によるドリル孔４２と対面する位置と退避位置との間を揺動可能に設けられた成型駒受け４６が設けられている。成型駒受け４６は、ドリル３０の昇降に連動して、退避位置とドリル孔４２と対面する位置との間を、ドリル３０の昇降に連動して揺動する。成型駒受け４６には、成型駒１２を受け入れる透孔４８が形成され、安定に成型駒１２がドリル孔４２内に挿入される。透孔４８は成型駒１２を軽く保持できる程度の図示しない保持部が設けられ、搬送チューブ５２から送られた成型駒１２を一時的に弱く保持する。
【００１６】
次にこの実施形態の成型駒の植菌装置１０の動作について説明する。この植菌装置１０は、装置の電源を入れてドリル３０のドリル刃３１が回転した後、操作者が持ち手３５を持ってドリル３０を押し下げると、一定の位置まで下がったことを図示しないセンサが検知して、エアシリンダ３６，３７を動作させる。これにより、ドリル３０は孔開け用エアシリンダ３６の力で原木４０側へ押されるとともに、位置固定用エアシリンダ３７により上昇方向の力に対して下方に付勢し、ドリル刃３１の反発力によりドリル３０が原木４０からはじかれるのを防止する。これにより、操作者は力を入れることなく孔開け用エアシリンダ３６の押圧力により、ドリル刃３１を原木４０へ押し入れることができる。そしてドリル刃３１の回転により、ドリル孔４２が形成される。
【００１７】
ドリル孔４２の形成時には、成型駒受け４６の退避により成型駒１２が圧縮空気圧を利用して、成型駒収容部５４から搬送用チューブ５２を経てその先端部に搬送され、成型駒受け４６の透孔４８内に嵌合する。そして、ドリル孔４２の形成後に、ドリル３０の上昇に伴って成型駒受け４６が図示しないバネに押されて揺動し、原木４０のドリル孔４２と対面する位置に停止する。この後、打ち込み装置６０のエアシリンダ６４により打ち込み部材６２を、原木４０のドリル孔４２内方向へ回動する。これにより透孔４８内の成型駒１２は、その外側の閉鎖部材１４が打ち込み部材６２に叩かれ、成型駒１２が原木４０のドリル孔４２内へ打ち込まれる。これにより、成型駒１２は確実に原木４０内に嵌合し、閉鎖部材１４により原木４０のドリル孔４２の開口が閉鎖され、菌類支持体１３に雑菌が混じることがない。成型駒１２の打ち込み後、打ち込み部材６２は元の退避位置に戻り、次の植菌に備える。
【００１８】
この実施形態の植菌装置１０によれば、成型駒１２を楽な操作で、確実に原木４０に埋め込むことができる。特に、ドリル３０による孔開け時に、孔開け用エアシリンダ３６により付勢されるので、力の弱い高齢者や女性にも容易に操作することができる。また、植菌も打ち込み装置６０により確実になされ、効率の良い作業が可能となる。
【００１９】
なお、この発明の成型駒の植菌装置は、上記実施の形態に限定されるものではなく、茸菌の種類は自由に選択可能であり、また打ち込み装置や成型駒供給装置等の装置は、適宜設計可能なものである。
【図面の簡単な説明】
【００２０】
【図１】この発明の一実施形態の成型駒の植菌装置を示す斜視図である。
【図２】この実施形態の成型駒の植菌装置の成型駒供給装置とドリルの概略斜視図である。
【図３】この実施形態の成型駒の収納材を示す部分斜視図である。
【図４】この実施形態の成型駒の斜視図である。
【符号の説明】
【００２１】
１０  植菌装置
１２  成型駒
１３  菌類支持体
１４  閉鎖部材
３０  ドリル
３１  ドリル刃
３２  ドリル保持装置
３６  孔開け用エアシリンダ
３７  位置固定用エアシリンダ
４０  原木
４２  ドリル孔
５０  成型駒供給装置
５２  搬送チューブ
５４  成型駒収容部
５６  加圧供給装置
６０  打ち込み装置
６２  打ち込み部材
【図１】
2005160363.tif 000003
【図２】
2005160363.tif 000004
【図３】
2005160363.tif 000005
【図４】
2005160363.tif 000006